(57)【要約】【課題】  ＳＡＣＤハイブリッドディスクのＨＤ層とＣＤ層とに記録された楽曲を再生する際、ユーザが再生を所望する楽曲と楽曲毎の再生モードとを選択して、ユーザが所望する楽曲順にユーザが所望する再生モードで楽曲を再生することができるようにする。【解決手段】  光ディスクの識別コードを読み出し、光ディスクのコンテンツを選択して、該光ディスクの再生プログラムにより再生されるコンテンツを選択し、光ディスクの再生プログラムにより再生されるコンテンツの再生モードを選択して、光ディスクのコンテンツと該光ディスクを再生する再生プログラムとを該光ディスクの識別コードとともに記憶し、設定された光ディスクの再生プログラムを実行して光ディスクを再生するようにする。ようにする。【選択図】        図３
2005327342.tif 000002
【特許請求の範囲】
【請求項１】
ＨＤ層とＣＤ層とが２層構造で形成されたＳＡＣＤハイブリッドディスクのＨＤ層とＣＤ層とを同時再生可能なディスク再生装置であって、
光ディスクの識別コードとコンテンツとを読み出す読出手段と、光ディスクのコンテンツと該光ディスクを再生する再生プログラムとを該光ディスクの識別コードとともに記憶する不揮発性メモリと、光ディスクのコンテンツと再生プログラムとを表示する表示手段であって、前記読出手段により読み出された光ディスクの識別コードが前記記憶手段に記憶されている場合、前記記憶手段に記憶されている光ディスクのコンテンツと再生プログラムとを読み出して表示する表示手段と、前記表示手段により表示された光ディスクのコンテンツの中から該光ディスクの再生プログラムにより再生されるコンテンツを選択するコンテンツ選択手段と、ＳＡＣＤのＨＤ層の２チャンネルを再生する再生モード、ＳＡＣＤのＨＤ層を右チャンネルにＣＤ層を左チャンネルにダウンミックスして再生する再生モード、ＳＡＣＤのＣＤ層を再生する再生モード、ＳＡＣＤのＨＤ層とＣＤ層とを同時再生する再生モードの中から前記表示手段により表示された光ディスクの再生プログラムにより再生されるコンテンツの再生モードを選択する再生モード選択手段と、光ディスクの再生プログラムを実行して光ディスクを再生する再生プログラム実行手段とを備えたことを特徴とするディスク再生装置。
【請求項２】
ＨＤ層とＣＤ層とが２層構造で形成されたＳＡＣＤハイブリッドディスクのＨＤ層とＣＤ層とを同時再生可能なディスク再生装置であって、
光ディスクの識別コードとコンテンツとを読み出す読出手段と、光ディスクのコンテンツと該光ディスクを再生する再生プログラムとを該光ディスクの識別コードとともに記憶する記憶手段と、光ディスクのコンテンツと再生プログラムとを表示する表示手段と、前記表示手段により表示された光ディスクのコンテンツを選択して、該光ディスクの再生プログラムにより再生されるコンテンツを選択するコンテンツ選択手段と、前記表示手段により表示された光ディスクの再生プログラムにより再生されるコンテンツの再生モードを選択する再生モード選択手段と、光ディスクの再生プログラムを実行して光ディスクを再生する再生プログラム実行手段とを備えたことを特徴とするディスク再生装置。
【請求項３】
前記表示手段は、前記読出手段により読み出された光ディスクの識別コードが前記記憶手段に記憶されている場合、前記記憶手段に記憶されている光ディスクのコンテンツと再生プログラムとを読み出して表示する表示手段であることを特徴とする請求項２記載のディスク再生装置。
【請求項４】
前記再生モード選択手段は、ＳＡＣＤのＨＤ層の２チャンネルを再生する再生モードを選択する再生モード選択手段であることを特徴とする請求項２記載のディスク再生装置。
【請求項５】
前記再生モード選択手段は、ＳＡＣＤのＨＤ層を右チャンネルにＣＤ層を左チャンネルにダウンミックスして再生する再生モードを選択する再生モード選択手段であることを特徴とする請求項２記載のディスク再生装置。
【請求項６】
前記再生モード選択手段は、ＳＡＣＤのＣＤ層を再生する再生モードを選択する再生モード選択手段であることを特徴とする請求項２記載のディスク再生装置。
【請求項７】
前記再生モード選択手段は、ＳＡＣＤのＨＤ層とＣＤ層とを同時再生する再生モードを選択する再生モード選択手段であることを特徴とする請求項２記載のディスク再生装置。
【請求項８】
前記記憶手段は、不揮発性メモリであることを特徴とする請求項２記載のディスク再生装置。
【発明の詳細な説明】
【技術分野】
【０００１】
本発明は、光ディスクを再生するディスク再生装置に係り、特にＨＤ（Ｈｉｇｈ  Ｄｅｎｓｉｔｙ）層とＣＤ（Ｃｏｍｐａｃｔ  Ｄｉｓｃ）層とが２層構造で形成されたＳＡＣＤ（Ｓｕｐｅｒ  Ａｕｄｉｏ  Ｃｏｍｐａｃｔ  Ｄｉｓｃ）ハイブリッドディスクを再生するディスク再生装置に関する。
【背景技術】
【０００２】
周知のように、ＳＡＣＤのＨＤ層に記録された楽曲データはＣＤ層に記録された楽曲データよりも周波数帯域幅が広く、ＣＤ層に記録された楽曲データの周波数帯域幅が２０ｋＨｚであるのに対して、ＨＤ層に記録された楽曲データの周波数帯域幅は１００ｋＨｚとなっていて、ＨＤ層を再生することによりＣＤ層を再生するよりも高品質の楽曲を聞くことができるようになっている。しかし、ＳＡＣＤハイブリッドディスクに記録された楽曲を再生する際、ユーザが好みの再生モードで楽曲を再生して聞きたい場合、楽曲毎に再生モードを選択して切り換えなければならないという問題点があった。
背景技術としては、ＣＤとは異なる記録形式のＨＤディスクに記録されたデジタルオーディオ信号に関する曲番、トラック経過時間等の情報データをＣＤと同様の形式に変換して、曲番、トラック経過時間等の情報をＣＤと同様に表示することができるようにしたものがあった（例えば、特許文献１参照）。
また、ＳＣＡＤ再生時とＤＶＤ（Ｄｉｇｉｔａｌ  Ｖｅｒｓａｔｉｌｅ  Ｄｉｓｃ）再生時とでそれぞれ異なるスピーカ設定が自動的にできるように構成して、ＳＡＣＤとＤＶＤとを識別してディスクの種類に応じて自動的にそれぞれ異なるスピーカ設定を行うようにしたものがあった（例えば、特許文献２参照）。
【特許文献１】特開２０００−１５６０５０号公報
【特許文献２】特開２００２−３６９２９９号公報
【発明の開示】
【発明が解決しようとする課題】
【０００３】
しかしながら、背景技術で述べたもののうち前者においては、ＣＤとは異なる記録形式のＨＤディスクに記録されたデジタルオーディオ信号に関する曲番、トラック経過時間等の情報データをＣＤと同様の形式に変換して、曲番、トラック経過時間等の情報をＣＤと同様に表示することができたが、ＳＡＣＤハイブリッドディスクに記録された楽曲を再生する際、ユーザが好みの再生モードで楽曲を再生して聞きたい場合、楽曲毎に再生モードを選択して切り換えなければならないという上記問題点を解決するようにしたものではなかった。
また、後者においては、ＳＣＡＤ再生時とＤＶＤ再生時とでそれぞれ異なるスピーカ設定が自動的にできるように構成して、ＳＡＣＤとＤＶＤとを識別してディスクの種類に応じて自動的にそれぞれ異なるスピーカ設定を行うことができたが、上記同様、上記問題点を解決するようにしたものではなかった。
本発明は、背景技術の有するこのような問題点に鑑みてなされたものであり、その目的とするところは、ＳＡＣＤハイブリッドディスクのＨＤ層とＣＤ層とに記録された楽曲を再生する際、ユーザが再生を所望する楽曲と楽曲毎の再生モードとを選択して、ユーザが所望する楽曲順にユーザが所望する再生モードで楽曲を再生することができるディスク再生装置を提供しようとするものである。
【課題を解決するための手段】
【０００４】
上記目的を達成するため本発明においては、ＨＤ層とＣＤ層とが２層構造で形成されたＳＡＣＤハイブリッドディスクのＨＤ層とＣＤ層とを同時再生可能なディスク再生装置であって、光ディスクの識別コードとコンテンツとを読み出す読出手段と、光ディスクのコンテンツと該光ディスクを再生する再生プログラムとを該光ディスクの識別コードとともに記憶する記憶手段と、光ディスクのコンテンツと再生プログラムとを表示する表示手段と、前記表示手段により表示された光ディスクのコンテンツを選択して、該光ディスクの再生プログラムにより再生されるコンテンツを選択するコンテンツ選択手段と、前記表示手段により表示された光ディスクの再生プログラムにより再生されるコンテンツの再生モードを選択する再生モード選択手段と、光ディスクの再生プログラムを実行して光ディスクを再生する再生プログラム実行手段とを備える。
前記表示手段は、前記読出手段により読み出された光ディスクの識別コードが前記記憶手段に記憶されている場合、前記記憶手段に記憶されている光ディスクのコンテンツと再生プログラムとを読み出して表示するようにするとよい。
前記再生モード選択手段は、ＳＡＣＤのＨＤ層の２チャンネルを再生する再生モードを選択するようにするとよい。
また、前記再生モード選択手段は、ＳＡＣＤのＨＤ層を右チャンネルにＣＤ層を左チャンネルにダウンミックスして再生する再生モードを選択するようにするとよい。
また、前記再生モード選択手段は、ＳＡＣＤのＣＤ層を再生する再生モードを選択するようにするとよい。
また、前記再生モード選択手段は、ＳＡＣＤのＨＤ層とＣＤ層とを同時再生する再生モードを選択するようにするとよい。
前記記憶手段は、不揮発性メモリとするとよい。
これらの手段により、ＳＡＣＤハイブリッドディスクのＨＤ層とＣＤ層とに記録された楽曲を再生する際、ユーザが再生を所望する楽曲と楽曲毎の再生モードとを選択して、ユーザが所望する楽曲順にユーザが所望する再生モードで楽曲を再生することができる。
【発明の効果】
【０００５】
請求項１記載の発明に係るディスク再生装置によれば、光ディスクの識別コードとコンテンツとを読み出し、光ディスクのコンテンツと該光ディスクを再生する再生プログラムとを該光ディスクの識別コードとともに記憶して、光ディスクのコンテンツと再生プログラムとを表示するとともに、光ディスクの識別コードが記憶されている場合、記憶されている光ディスクのコンテンツと再生プログラムとを読み出して表示し、表示された光ディスクのコンテンツの中から該光ディスクの再生プログラムにより再生されるコンテンツを選択し、ＳＡＣＤのＨＤ層の２チャンネルを再生する再生モード、ＳＡＣＤのＨＤ層を右チャンネルにＣＤ層を左チャンネルにダウンミックスして再生する再生モード、ＳＡＣＤのＣＤ層を再生する再生モード、ＳＡＣＤのＨＤ層とＣＤ層とを同時再生する再生モードの中から光ディスクの再生プログラムにより再生されるコンテンツの再生モードを選択して、設定された光ディスクの再生プログラムを実行して光ディスクを再生するようにしているので、ＳＡＣＤハイブリッドディスクのＨＤ層とＣＤ層とに記録された楽曲を再生する際、ユーザが再生を所望する楽曲と楽曲毎の再生モードとを選択して、ユーザが所望する楽曲順にユーザが所望する再生モードで楽曲を再生することができる。
請求項２記載の発明に係るディスク再生装置によれば、光ディスクの識別コードを読み出し、光ディスクのコンテンツを選択して、該光ディスクの再生プログラムにより再生されるコンテンツを選択し、光ディスクの再生プログラムにより再生されるコンテンツの再生モードを選択して、光ディスクのコンテンツと該光ディスクを再生する再生プログラムとを該光ディスクの識別コードとともに記憶し、設定された光ディスクの再生プログラムを実行して光ディスクを再生するようにしているので、ＳＡＣＤハイブリッドディスクのＨＤ層とＣＤ層とに記録された楽曲を再生する際、ユーザが再生を所望する楽曲と楽曲毎の再生モードとを選択して、ユーザが所望する楽曲順にユーザが所望する再生モードで楽曲を再生することができる。
請求項３記載の発明に係るディスク再生装置によれば、光ディスクの識別コードが記憶手段に記憶されている場合、記憶手段に記憶されている光ディスクのコンテンツと再生プログラムとを読み出して表示するようにしているので、光ディスクの既存の再生プログラムを編集することができる。
請求項４記載の発明に係るディスク再生装置によれば、ＳＡＣＤのＨＤ層の２チャンネルを再生することができるようにしているので、ＳＡＣＤのＨＤ層を右チャンネルにＨＤ層の２チャンネルを再生してその楽曲を聞くことができる。
請求項５記載の発明に係るディスク再生装置によれば、ＳＡＣＤのＨＤ層を右チャンネルにＣＤ層を左チャンネルにダウンミックスして再生することができるようにしているので、ユーザが光ディスクの再生プログラムによりコンテンツを再生する際、ＳＡＣＤのＨＤ層を右チャンネルにＣＤ層を左チャンネルにダウンミックスして再生してその楽曲を聞くことができる。
請求項６記載の発明に係るディスク再生装置によれば、ＳＡＣＤのＣＤ層を再生することができるようにしているので、ユーザが光ディスクの再生プログラムによりコンテンツを再生する際、ＳＡＣＤのＣＤ層を再生してその楽曲を聞くことができる。
請求項７記載の発明に係るディスク再生装置によれば、ＳＡＣＤのＨＤ層とＣＤ層とを同時再生する再生モードを選択することができるようにしているので、ユーザが光ディスクの再生プログラムによりコンテンツを再生する際、ＳＡＣＤのコンテンツをＨＤ層とＣＤ層とを同時に再生してその楽曲を聞くことができる。
請求項８記載の発明に係るディスク再生装置によれば、光ディスクのコンテンツと再生プログラムとを識別コードとともに不揮発性メモリに記憶するようにしているので、ディスク再生装置の電源がＯＦＦになっても不揮発性メモリに記憶された光ディスクのコンテンツと再生プログラムとを保持することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置の再生プログラムの一例を示す説明図であり、図４は本発明の一実施例のディスク再生装置の動作を示すフローチャートである。
まず、図１の本発明の一実施例のディスク再生装置の構成を示すブロック図を基に説明する。
ディスク再生装置１０は、光ディスク１１のＨＤ層に記録された楽曲データを再生するＳＡＣＤ再生部１２と、光ディスク１１のＣＤ層に記録された楽曲データを再生するＣＤ再生部１３と、ＳＡＣＤ再生部１２、ＣＤ再生部１３により再生された楽曲データをオーディオ信号に変換して、左チャンネルスピーカ３０と右チャンネルスピーカ３１とに出力するオーディオ出力部１４と、文字情報信号を映像信号に重畳してモニタ装置４０の画面に文字情報を表示するＯＳＤ（Ｏｎ−Ｓｃｒｅｅｎ  Ｃｈａｒａｃｔｅｒ  Ｄｉｓｐｌａｙ）回路１５と、ディスク再生装置１０のシステム全体を制御するマイコン１６と、再生プログラム等の各種データを記憶する不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ‐Ｏｎｌｙ  Ｍｅｍｏｒｙ）１７と、リモコン装置２０から送信されたリモコン信号を受信して所定の電気信号に変換するリモコン受信部１８とで構成されている。
また、図２の本発明の一実施例のディスク再生装置のリモコン装置を示す説明図を基に説明する。
リモコン装置２０には、モニタ装置４０にメニュ画面の表示を指令するメニュキー２０ａと、モニタ装置４０のメニュ画面に表示された選択項目選択するカーソルキー２０ｂと、カーソルキー２０ｂによって選択された選択項目の選択を決定する決定キー２０ｃと、光ディスク１１のＨＤ層の２チャンネルを再生する２チャンネル再生モード、光ディスク１１のＨＤ層を右チャンネルにＣＤ層を左チャンネルにダウンミックスして再生するマルチチャンネル再生モード、光ディスク１１のＣＤ層を再生するＣＤ層再生モード、光ディスク１１のＨＤ層とＣＤ層とを同時再生する同時再生モードを選択する複数の再生モード選択キー２０ｄと、光ディスク１１の再生を指令するするとともに、モニタ装置４０の画面に表示された再生プログラムの実行を指令する再生キー２０ｅと等の複数の操作キーが設けられていて、それらの操作キーを操作することによりディスク再生装置１０を所望動作させることができるようになっている。なお、カーソルキー２０ｂは、上矢印キー、下矢印キー、左矢印キー、右矢印キーの４つの操作キーで構成されている。
以上のように構成されたディスク再生装置について、以下その動作について説明する。
光ディスク１１がディスク再生装置１０にローディングされると、マイコン１６は、ＳＡＣＤ再生部１２、或いはＣＤ再生部１３に制御信号を送出して、ディスク再生装置１０にローディングされた光ディスク１１の識別コードを読み出す。そして、光ディスク１１の識別コードがＥＥＰＲＯＭ１７に記憶されている場合、マイコン１６は、ＥＥＰＲＯＭ１７に記憶されているその識別コードの光ディスクのコンテンツと再生プログラムとを読み出し、文字情報信号と制御信号とをＯＳＤ回路１５に送出して、光ディスク１１のコンテンツと再生プログラムの編集画面とをモニタ装置４０の画面に表示する（図３参照）。また、光ディスク１１の識別コードがＥＥＰＲＯＭ１７に記憶されていない場合、マイコン１６は、ＳＡＣＤ再生部１２、或いはＣＤ再生部１３に制御信号を送出して、ディスク再生装置１０にローディングされた光ディスク１１のコンテンツを読み出し、文字情報信号と制御信号とをＯＳＤ回路１５に送出して、光ディスク１１のコンテンツと再生プログラムの作成画面とをモニタ装置４０の画面に表示する（図３参照）。
リモコン装置２０のカーソルキー２０ｂの操作によりモニタ装置４０の画面４０ａに表示された光ディスク１１のコンテンツの右にカーソルＡが表示されたコンテンツが選択され、リモコン装置２０の決定キー２０ｃによりカーソルＡのコンテンツの選択が決定されると、マイコン１６は、選択された光ディスク１１のコンテンツを再生するための再生プログラムに書き込む（図３参照）。そして、リモコン装置２０の再生モード選択キー２０ｄの１つによりそのコンテンツの再生モードが選択されると、再生プログラムのコンテンツを再生する再生モードが選択された再生モードに設定される（図３参照）。ユーザは、リモコン装置２０の操作キーを操作して、光ディスク１１を再生する再生プログラムにより再生されるコンテンツを所望の楽曲順に選択し、そのコンテンツを再生する所望の再生モードを選択して、光ディスク１１を再生する再生プログラムを編集・作成する。
光ディスク１１を再生する再生プログラムにより再生されるコンテンツとそのコンテンツを再生する再生モードとが選択され、光ディスク１１を再生する再生プログラムの編集・作成が終了すると、マイコン１６は、光ディスク１１のコンテンツと再生プログラムとを識別コードとともにＥＥＰＲＯＭ１７に記憶する。そして、モニタ装置４０の画面４０ａに表示された再生プログラムの実行を指令するリモコン装置２０の再生キー２０ｅが操作されると、マイコン１６は、ＳＡＣＤ再生部１２及びＣＤ再生部１３に制御信号を送出して、モニタ装置４０の画面４０ａに表示された再生プログラムを実行して光ディスク１１を再生し、オーディオ出力部１４に制御信号を送出して、再生プログラムの再生モードに応じてオーディオ出力部１４により左チャンネルスピーカ３０、右チャンネルスピーカ３１にオーディオ信号を出力する。
また、図４の本発明の一実施例のディスク再生装置の動作を示すフローチャートを基に説明する。
光ディスクがディスク再生装置にローディングされると、ステップＳ１からステップＳ２に進み、ステップＳ２で、ディスク再生装置にローディングされた光ディスクの識別コードが読み出されて、ステップＳ３に進む。
ステップＳ３で、光ディスクの識別コードがメモリに記憶されているか否かが判断され、光ディスクの識別コードがメモリに記憶されている場合、ステップＳ４に進み、光ディスクの識別コードがメモリに記憶されていない場合、ステップＳ５に進む。
ステップＳ４で、メモリに記憶されている識別コードの光ディスクのコンテンツと再生プログラムとが読み出されて、光ディスクのコンテンツと再生プログラムの編集画面とがモニタ装置の画面に表示され、ステップＳ６に進む。
ステップＳ５で、ディスク再生装置にローディングされた光ディスクのコンテンツが読み出されて、光ディスクのコンテンツと再生プログラムの作成画面とがモニタ装置の画面に表示され、ステップＳ６に進む。
ステップＳ６で、モニタ装置の画面に表示された光ディスクのコンテンツが選択され、再生プログラムの選択項目が選択されたか否かが判断され、再生プログラムの選択項目が選択された場合、ステップＳ７に進み、再生プログラムの選択項目が選択されていない場合、ステップＳ８に進む。
ステップＳ７で、選択された選択項目の内容が再生プログラムに設定されて、ステップＳ８に進む。
ステップＳ８で、再生プログラムの選択項目の設定が終了したか否かが判断され、再生プログラムの選択項目の設定が終了した場合、ステップＳ９に進み、再生プログラムの選択項目の設定が終了していない場合、ステップＳ６に戻って、ステップＳ６からのステップを繰り返す。
ステップＳ９で、光ディスクのコンテンツと再生プログラムとが識別コードとともにメモリに記憶されて、ステップＳ１０に進む。
ステップＳ１０で、モニタ装置の画面に表示された再生プログラムの実行を指令するリモコン装置の再生キーが操作されたか否かが判断され、リモコン装置の再生キーが操作された場合、ステップＳ１１に進み、リモコン装置の再生キーが操作されていない場合、ステップＳ１２に進んで処理を終了する。
ステップＳ１１で、モニタ装置の画面に表示された再生プログラムが実行されて光ディスクが再生され、ステップＳ１２に進んで処理を終了する。
【図面の簡単な説明】
【０００７】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置の再生プログラムの一例を示す説明図である。
【図４】本発明の一実施例のディスク再生装置の動作を示すフローチャートである。
【符号の説明】
【０００８】
１０  ディスク再生装置
１１  光ディスク
１２  ＳＡＣＤ再生部
１３  ＣＤ再生部
１４  オーディオ出力部
１５  ＯＳＤ回路
１６  マイコン
１７  ＥＥＰＲＯＭ
１８  リモコン受信部
２０  リモコン装置
２０ａ  メニュキー
２０ｂ  カーソルキー
２０ｃ  決定キー
２０ｄ  再生モード選択キー
２０ｅ  再生キー
３０  左チャンネルスピーカ
３１  右チャンネルスピーカ
４０  モニタ装置
４０ａ  画面
【図１】
2005327342.tif 000003
【図２】
2005327342.tif 000004
【図３】
2005327342.tif 000005
【図４】
2005327342.tif 000006